(57)【要約】【課題】  電磁誘導作用を利用することによって、使い勝手がよくかつ信頼性に優れた状態で発光手段を発光させることの可能な遊技媒体収納箱及び遊技媒体収納箱発光演出システムの提供を目的とする。【解決手段】  遊技媒体収納箱１は、電磁誘導作用により起電力が発生する起電力発生手段３と、この起電力発生手段３と接続された発光手段２を具備し、発光手段２が、ＬＥＤ２１と照明用光ファイバー２２とからなる。遊技媒体収納箱発光演出システム９は、遊技媒体収納箱１と、遊技島の天板６に設けられ、電磁誘導作用により起電力発生手段３に起電力を発生させる磁界発生手段７と、この磁界発生手段７を制御する制御手段８を具備した構成としてある。【選択図】  図１
2005279099.tif 000002
【特許請求の範囲】
【請求項１】
電磁誘導作用により起電力が発生する起電力発生手段と、
この起電力発生手段と接続され、前記起電力によって発光する発光手段と、
を具備したことを特徴とする遊技媒体収納箱。
【請求項２】
前記発光手段が、ＬＥＤと照明用光ファイバーとからなることを特徴とする請求項１記載の遊技媒体収納箱。
【請求項３】
複数の前記発光手段と、該発光手段に応じた複数の前記起電力発生手段とを設けたことを特徴とする請求項１又は２記載の遊技媒体収納箱。
【請求項４】
前記起電力発生手段の位置決めを行なう、位置決め手段を設けたことを特徴とする請求項１〜３のいずれかに記載の遊技媒体収納箱。
【請求項５】
前記遊技媒体収納箱が二段以上に積み上げられた際、最下段の前記遊技媒体収納箱の起電力発生手段に発生した起電力を、上方の前記遊技媒体収納箱の発光手段に伝達するための、出力用外部接続電極及び入力用外部接続電極を前記発光手段と並列に接続し、さらに、積み上げられた前記遊技媒体収納箱において、前記入力用外部接続電極からの電流が、前記起電力発生手段に逆流することを防止する整流回路を備えたことを特徴とする請求項１〜４のいずれかに記載の遊技媒体収納箱。
【請求項６】
上記請求項１〜５のいずれかに記載の遊技媒体収納箱と、
遊技島の天板及び／又は遊技場の床に設けられ、電磁誘導作用により前記起電力発生手段に起電力を発生させる磁界発生手段と、
この磁界発生手段を制御する制御手段と、
を具備したことを特徴とする遊技媒体収納箱発光演出システム。
【発明の詳細な説明】
【技術分野】
【０００１】
本発明は、遊技媒体収納箱及び遊技媒体収納箱発光演出システムに関し、特に、電磁誘導作用を利用した起電力発生手段及び磁界発生手段を用いて、発光手段を発光させる遊技媒体収納箱及び遊技媒体収納箱発光演出システムに関する。
【背景技術】
【０００２】
パチンコ遊技機やスロットマシンを利用した遊技においては、遊技者の興趣を盛り上げる様々な演出が行なわれている。
このため、パチンコ遊技機やスロットマシンは勿論、呼出しランプ等においても、カラフルな色の光を照射し、遊技者の興趣を盛り上げる演出を行なっている。
【０００３】
たとえば、特許文献１の収納箱は、パチンコ遊技における賞球の収納箱であって、賞球が溜まっていって、その最上位のものが収納箱の所定の深さに達すると、収納箱が発光するようになり、賞球の最上位のものがその所定の深さから下がって行くと発光しなくなる。
このような収納箱によれば、遊技者に優越感を与えることができる。
【特許文献１】特開２００１−２２４８３２号公報  （請求項１、図１）
【発明の開示】
【発明が解決しようとする課題】
【０００４】
しかしながら、上記特許文献１にかかる収納箱は、収納箱が電池を備えた構造となっており、たとえば、電池が切れた場合には、電池を交換するか、あるいは、充電する必要があるので、電池の交換や充電の手間を考えると、使い勝手が悪く実用化することができないといった問題があった。
【０００５】
また、発光演出を行なう収納箱としては、電池を使用する代わりに、外部入力端子を設けて、この外部入力端子を遊技機や遊技島の天板に設けられた外部出力端子と接続し、これら端子を介して電力が供給されるものもある。ただし、このタイプの収納箱は、端子どうしを接続する際の作業性が悪く実用的でないといった問題や、端子の接触不良が頻繁に発生するといった問題があり、上記特許文献１にかかる収納箱と同様に実用化することができないといった問題があった。
【０００６】
本発明は、上記の事情にかんがみなされたものであり、電磁誘導作用を利用することによって、使い勝手がよくかつ信頼性に優れた状態で発光手段を発光させることの可能な遊技媒体収納箱及び遊技媒体収納箱発光演出システムの提供を目的とする。
【課題を解決するための手段】
【０００７】
この目的を達成するため、本発明の遊技媒体収納箱は、電磁誘導作用により起電力が発生する起電力発生手段と、この起電力発生手段と接続され、前記起電力によって発光する発光手段と、を具備した構成としてある。
このようにすると、発光手段を点灯させる起電力を、信頼性に優れた状態で発生させることができ、また、耐久性及び使い勝手も優れているので、実用化が可能となる。
【０００８】
また、本発明の遊技媒体収納箱は、前記発光手段が、ＬＥＤと照明用光ファイバーとからなる構成としてある。
このようにすると、照明用光ファイバーの側面からＬＥＤの光を照射することができ、広い面積から光を効率よく照射することができるので、演出効果を高めることができる。
【０００９】
また、本発明の遊技媒体収納箱は、複数の前記発光手段と、該発光手段に応じた複数の前記起電力発生手段とを設けた構成としてある。
このようにすると、遊技媒体収納箱に制御回路等を設けなくても、複数の発光手段に選択的に外部から電力を供給することができるので、たとえば、異なる色の光を交互に照射することもでき、光による演出効果をより高めることができる。
【００１０】
また、本発明の遊技媒体収納箱は、前記起電力発生手段の位置決めを行なう、位置決め手段を設けた構成としてある。
このようにすると、起電力発生手段が、磁界発生手段の真上に載置又は接近した状態で位置決めされることとなり、電力の伝達効率を高めることができる。また、遊技場の店員又は遊技客が、遊技媒体収納箱を取り替える際、容易に位置決めすることができ、作業効率を高めることができる。
【００１１】
また、本発明の遊技媒体収納箱は、前記遊技媒体収納箱が二段以上に積み上げられた際、最下段の前記遊技媒体収納箱の起電力発生手段に発生した起電力を、上方の前記遊技媒体収納箱の発光手段に伝達するための、出力用外部接続電極及び入力用外部接続電極を前記発光手段と並列に接続し、さらに、積み上げられた前記遊技媒体収納箱において、前記入力用外部接続電極からの電流が、前記起電力発生手段に逆流することを防止する整流回路を備えた構成としてある。
このようにすると、遊技媒体収納箱を積み上げた場合に、最下段の遊技媒体収納箱の起電力発生手段が発生させた電力を、上方に積み上げられた遊技媒体収納箱に容易に供給することができる。
【００１２】
また、本発明の遊技媒体収納箱発光演出システムは、上記請求項１〜５のいずれかに記載の遊技媒体収納箱と、遊技島の天板及び／又は遊技場の床に設けられ、電磁誘導作用により前記起電力発生手段に起電力を発生させる磁界発生手段と、この磁界発生手段を制御する制御手段と、を具備した構成としてある。
このように、本発明は、遊技媒体収納箱発光演出システムとしても有効であり、たとえば、制御手段が複数の遊技媒体収納箱の発光手段を連続的に点灯させることもでき、光による演出効果をより高めることができる。
【発明の効果】
【００１３】
このように、本発明にかかる遊技媒体収納箱及び遊技媒体収納箱発光演出システムは、発光手段を点灯させる起電力を、信頼性に優れた状態で発生させることができ、また、耐久性及び使い勝手も優れているので、実用化が可能となる。
さらに、たとえば、発光手段から異なる色の光を交互に照射し、あるいは、複数の遊技媒体収納箱の発光手段を連続的に点灯させることもでき、光による演出効果をより高めることができる。
【発明を実施するための最良の形態】
【００１４】
［第一実施形態にかかる遊技媒体収納箱］
図１は、本発明の第一実施形態にかかる遊技媒体収納箱を説明するための概略図であり、（ａ）は斜視図を、（ｂ）はＡ−Ａ断面図を示している。
同図において、遊技媒体収納箱１は、遊技媒体（たとえば、パチンコ玉やメダル）を収納する有色透明な樹脂からなる収納箱であり、発光手段２及び起電力発生手段３を備えた構成としてある。
【００１５】
（収納箱）
遊技媒体収納箱１は、上面が開口されたほぼ直方体状の箱本体１０と、上部に水平外側方向に突設した環状の鍔部１１と、左右の側板１２の上部から鍔部１１をさらに延設した取手部１３と、底板１４の下面に突設された矩形環状の脚部１５とからなっている。
【００１６】
ここで、脚部１５は、起電力発生手段３の位置決めを行なう位置決め手段としてある。すなわち、この脚部１５が、たとえば、遊技島（図示せず）の天板６に形成された矩形環状の溝６１に嵌入されると、起電力発生手段３が、天板６の上面に設けられた磁界発生手段７の真上に位置する。このようにすると、脚部１５を溝６１の嵌入するだけで、電磁誘導を効率よく行なうことができる。また、遊技場の店員又は遊技客が、遊技媒体収納箱１を取り替える際、容易に位置決めすることができ、作業効率を高めることができる。
なお、位置決め手段は、脚部１５の形状及び構成に限定されるものではなく、位置決め可能な形状及び構成であればよい。
【００１７】
（発光手段）
発光手段２は、ＬＥＤ２１と、ＬＥＤ２１が装入されるチューブ状の照明用光ファイバー２２とからなっており、正面側及び裏面側の鍔部１１の下面に埋設された構成としてある。
この照明用光ファイバー２２は、ＬＥＤ２１の光を通過させる過程で散乱させ、側面部分から光を照射することができる。このようにすると、発光手段２の構造を単純化することができるとともに、広い面積（照明用光ファイバー２２の側面）を発光させることができる。
なお、発光手段２は、上記構成に限定されるものではなく、たとえば、複数のＬＥＤ２１を並設する構成としてもよい。
【００１８】
（起電力発生手段）
起電力発生手段３は、円環状の溝３１が形成された円板状の鉄心３２と、この溝３１に巻きつけられた二次コイル３３とからなっており、底板１４の下面中央部に突設してある。
この起電力発生手段３は、磁界発生手段７の上に載置又は接近した状態で位置決めされ、磁界発生手段７の一次コイル７３に交流電流が流れると、相互インダクタンスを介して、起電力発生手段３の二次コイル３３に誘導起電力が電磁的に発生する。すなわち、起電力発生手段３は、電磁誘導作用によって起電力を発生させることができる。
二次コイル３３の両端は、整流回路（図示せず）を介して、ＬＥＤ２１と接続されており、磁界発生手段７の一次コイル７３に電流が流れると、起電力発生手段３の二次コイル３３に誘導起電力が発生し、ＬＥＤ２１が点灯する。
【００１９】
（天板）
天板６は、パチンコ遊技機（図示せず）が並設された遊技島の天板であり、遊技媒体収納箱１の脚部１５に対応した矩形環状の溝６１が形成されている。
また、遊技媒体収納箱１が脚部１５によって位置決めされると、遊技媒体収納箱１の起電力発生手段３に対応する位置に、磁界発生手段７が埋設してある。
【００２０】
（磁界発生手段）
磁界発生手段７は、円環状の溝７１が形成された円板状の鉄心７２と、この溝７１に巻きつけられた一次コイル７３と、鉄心７２及び一次コイル７３を上方から覆うカバー（図示せず）とからなっており、天板６に各パチンコ遊技機に対応して設けてある。
なお、この磁界発生手段７は、後述する制御手段８によって制御される。
【００２１】
次に、上記構成の遊技媒体収納箱１の動作について説明する。
遊技媒体収納箱１は、遊技島の天板６に載置される。ここで、遊技媒体収納箱１は、脚部１５が天板６の溝６１に嵌入されており、これにより、起電力発生手段３は、磁界発生手段７の上に載置又は接近した状態で位置決めされる。
【００２２】
磁界発生手段７が、制御手段８によって、一次コイル７３に通電されると、起電力発生手段３は、相互インダクタンスを介して、起電力発生手段３の二次コイル３３に誘導起電力が電磁的に発生し、ＬＥＤ２１が点灯する。
このＬＥＤ２１から発せられた光は、照明用光ファイバー２２を通過する過程で散乱し、側面部分から照射される。
なお、店員又は遊技客は、遊技球で一杯になった遊技媒体収納箱１を天板６から容易に取り外すことができ、また、新たな遊技媒体収納箱１を天板６にセットすることができる。
【００２３】
このように、本発明にかかる遊技媒体収納箱１は、起電力発生手段３を備えており、磁界発生手段７から非接触の状態で電磁誘導作用によって、起電力を発生させることができる。
また、遊技媒体収納箱１は、一般的に、起電力発生手段３が磁界発生手段７と非接触の状態で使用されるので、磨耗するといった不具合もなく、信頼性に優れた状態で起電力を発生させることができる。さらに、鉄心３２や二次コイル３３は機械的強度が高いことから、耐久性に優れている。また、電池のような交換部品やメンテナンス部品を必要としないので、使い勝手にも優れており、実用化が可能である。
【００２４】
［第二実施形態にかかる遊技媒体収納箱］
図２は、本発明の第二実施形態にかかる遊技媒体収納箱を説明するための概略図であり、（ａ）は斜視図を、（ｂ）はＢ−Ｂ断面図を示している。
同図において、遊技媒体収納箱１ａは、遊技媒体（たとえば、パチンコ玉やメダル）を収納する有色透明な樹脂からなる収納箱であり、発光手段２，２ａ及び起電力発生手段３，３ａを備えた構成としてある。
なお、本実施形態は、第一実施形態と比較して、発光手段２ａと起電力発生手段３ａを追加した点が相違する。他の構成要素は第一実施形態と同様としてある。
したがって、図２において、図１と同様の構成部分については同一の符号を付して、その詳細な説明を省略する。
【００２５】
（発光手段）
遊技媒体収納箱１ａは、上記発光手段２の他に発光手段２ａを備えている。
この発光手段２ａは、ＬＥＤ２１と発光色の異なるＬＥＤ２１ａと、ＬＥＤ２１ａが装入されるチューブ状の照明用光ファイバー２２ａとからなっており、正面側及び裏面側の側板１２ａの中段部に水平方向に部分的に埋設された構成としてある。
【００２６】
（起電力発生手段）
起電力発生手段３ａは、円環状の溝３１ａが形成された円板状の鉄心３２ａと、この溝３１ａに巻きつけられた二次コイル３３ａとからなっており、底板１４の下面中央部に起電力発生手段３と並べて設けてある。
この起電力発生手段３ａは、対応して設けられた磁界発生手段７ａの上に載置又は接近した状態で位置決めされ、磁界発生手段７ａの一次コイル７３ａに電流が流れると、相互インダクタンスを介して、起電力発生手段３ａの二次コイル３３ａに誘導起電力が電磁的に発生する。
なお、二次コイル３３ａの両端は、整流回路（図示せず）を介して、ＬＥＤ２１ａと接続されており、一次コイル７３ａに電流が流れると、起電力発生手段３ａの二次コイル３３ａに誘導起電力が発生し、ＬＥＤ２１ａが点灯する。
【００２７】
（天板）
天板６ａは、パチンコ遊技機（図示せず）が並設された遊技島の天板であり、遊技媒体収納箱１ａの脚部１５に対応した矩形環状の溝６１が形成されている。また、遊技媒体収納箱１ａが脚部１５によって位置決めされると、遊技媒体収納箱１ａの起電力発生手段３ａに対応する位置に、磁界発生手段７ａが埋設してある。
【００２８】
（磁界発生手段）
磁界発生手段７ａは、円環状の溝７１ａが形成された円板状の鉄心７２ａと、この溝７１ａに巻きつけられた一次コイル７３ａとからなっており、天板６ａに各パチンコ遊技機に対応して設けてある。
なお、この磁界発生手段７ａは、磁界発生手段７と同様に制御手段８によって制御される。
【００２９】
次に、上記構成の遊技媒体収納箱１ａの動作について説明する。
遊技媒体収納箱１ａは、遊技島の天板６ａに載置される。ここで、遊技媒体収納箱１ａは、脚部１５が天板６ａの溝６１に嵌入される。これにより、起電力発生手段３，３ａは、それぞれ磁界発生手段７，７ａの上に載置又は接近した状態で位置決めされる。
【００３０】
磁界発生手段７，７ａが、後述する制御手段８によって、一次コイル７３，７３ａに通電されると、起電力発生手段３，３ａは、相互インダクタンスを介して、起電力発生手段３，３ａの二次コイル３３，３３ａに誘導起電力が電磁的に発生し、ＬＥＤ２１，２１ａが点灯する。
ここで、一次コイル７３，７３ａに同時に通電すると、起電力発生手段３，３ａは、相互インダクタンスを介して、起電力発生手段３，３ａの二次コイル３３，３３ａに誘導起電力が電磁的に発生し、ＬＥＤ２１，２１ａが同時に点灯する。また、たとえば、一次コイル７３，７３ａに交互に通電すると、起電力発生手段３，３ａは、相互インダクタンスを介して、起電力発生手段３，３ａの二次コイル３３，３３ａに誘導起電力が交互に発生し、ＬＥＤ２１，２１ａを交互に点滅させることができる。
【００３１】
このように、本発明にかかる遊技媒体収納箱１ａは、発光手段２，２ａと、各発光手段２，２ａに応じた起電力発生手段３，３ａを備えているので、遊技媒体収納箱１ａに制御回路等を設けなくても、発光手段２，２ａの二次コイル３３，３３ａに選択的に外部から通電することによって、たとえば、異なる色の光を交互に照射することもでき、光による演出効果をより高めることができる。
なお、本実施形態では、二組の発光手段２，２ａ及び起電力発生手段３，３ａを備えた構成としてあるが、二組に限定されるものではなく、たとえば、三組以上備えた構成とすることも可能である。このようにすると、より効果的な光による演出を行なうことができる。
【００３２】
［第三実施形態にかかる遊技媒体収納箱］
図３は、本発明の第三実施形態にかかる遊技媒体収納箱を説明するための概略断面図を示している。
同図において、遊技媒体収納箱１ｂは、積み上げ可能な収納箱であり、出力用外部接続電極３４及び入力用外部接続電極３５を発光手段２と並列に接続し、さらに、積み上げられた遊技媒体収納箱１ｂにおいて、入力用外部接続電極３５からの直流電流が、起電力発生手段３に逆流することを防止する整流回路（図示せず）を備えた構成としてある。
なお、本実施形態は、第一実施形態と比較して、積み上げられた遊技媒体収納箱１ｂが、下方の遊技媒体収納箱１ｂから、出力用外部接続電極３４及び入力用外部接続電極３５を介して発光手段２を点灯する電力を供給される点が相違する。他の構成要素は第一実施形態と同様としてある。
したがって、図３において、図１と同様の構成部分については同一の符号を付して、その詳細な説明を省略する。
【００３３】
（入力用外部接続電極及び出力用外部接続電極）
遊技媒体収納箱１ｂは、積み上げ可能な上面が開口された直方体状の箱であり、側板１２ｂの下面に凹部１６が形成され、この凹部１６の天井面に入力用外部接続電極３５が設けてある。また、側板１２ｂの上面には、凹部１６に対応して凸部１７が突設してあり、凸部１７の上面に出力用外部接続電極３４が設けられている。
これらの出力用外部接続電極３４及び入力用外部接続電極３５は、発光手段２と電気的に並列に接続されている。
【００３４】
また、遊技媒体収納箱１ｂは、遊技媒体収納箱１ｂどうしが積み上げられると、下段の遊技媒体収納箱１ｂの出力用外部接続電極３４と上段に積み上げられた遊技媒体収納箱１ｂの出力用外部接続電極３４が接触し電気的に接続される。これにより、入力用外部接続電極３５を介して供給された電力を、発光手段２と出力用外部接続電極３４に供給することができる。
また、入力用外部接続電極３５を凹部１６の天井面に設けることにより、最下段の遊技媒体収納箱１ｂにおいて、出力用外部接続電極３４が天板６（一般的に、ステンレス板が使用されている。）や床面６０と接触にないので、ショートするといった不具合を防止することができる。
なお、磁界発生手段７は、遊技椅子（図示せず）の床面６０に設けてある。
【００３５】
このように、本実施形態にかかる遊技媒体収納箱１ｂは、遊技媒体収納箱１ｂが天板６から床面６０に移動され、積み上げられた場合に、最下段の遊技媒体収納箱１ｂが発生させた起電力を、上方に積み上げられた遊技媒体収納箱１ｂに供給することができるので、床面６０に積み上げられた遊技媒体収納箱１ｂを利用すいて、光の演出を行なうことができる。
なお、一般的に、遊技媒体収納箱１ｂは五段まで積み上げられるので、最下段の遊技媒体収納箱１ｂの起電力発生手段３は、五つの発光手段２を点灯させる起電力を発生させる。
【００３６】
［遊技媒体収納箱発光演出システム］
図４は、本発明の実施形態にかかる遊技媒体収納箱発光演出システムを説明するための概略ブロック図を示している。
同図において、遊技媒体収納箱発光演出システム９は、上記遊技媒体収納箱１ａと、遊技島（図示せず）の天板６や遊技場（図示せず）の床６０に設けられ、電磁誘導作用により起電力発生手段３，３ａに起電力を発生させる磁界発生手段７，７ａと、磁界発生手段７，７ａを制御する制御手段８とからなっている。
【００３７】
（制御手段）
各制御手段８は、遊技機としてのパチンコ遊技機１０１と対応して設けられており、パチンコ遊技機１０１又はホール管理コンピュータ（図示せず）と接続され、大当り信号及び可変表示手段の図柄変動を開始するスタート信号を入力する。また、隣接する制御手段８どうしも接続されており、ランニング用同期信号を入出力する。さらに、各制御手段８は、対応して設けられた磁界発生手段７，７ａと接続されている。
【００３８】
制御手段８は、情報処理機能を有しており、たとえば、大当り信号を入力すると、磁界発生手段７，７ａに通電するとともに、ランニング用同期信号を隣接する制御手段８に出力する。制御手段８は、磁界発生手段７，７ａに通電することにより、遊技媒体収納箱１ａの起電力発生手段３，３ａに電力を供給するので、発光手段２，２ａは点灯する。
【００３９】
また、ランニング用同期信号を入力した隣接する制御手段８は、タイマーによりコンマ数秒後に、磁界発生手段７，７ａに所定の短時間（通常約０．１秒）だけ通電するとともに、ランニング用同期信号を入力した方の反対側の制御手段８に同様にランニング用同期信号を出力する。これを繰り返すことにより、一台のパチンコ遊技機１０１が大当りすると、大当りしたパチンコ遊技機１０１の遊技媒体収納箱１ａは点灯し、他の遊技媒体収納箱１ａは、順次点灯し光がランニングする。ここで、このような光による演出は、呼出し機（図示せず）のランプ等で実施されているが、天板６に載置された遊技媒体収納箱１ａ（及び、遊技者の近傍に積み上げられた遊技媒体収納箱１ｂ）において、光がランニングするので、従来にない効果的な演出を行なうことができる。
【００４０】
このように、本発明は、遊技媒体収納箱発光演出システムとしても有効であり、たとえば、制御手段８が遊技島に設置された複数の遊技媒体収納箱１ａの発光手段２，２ａを連続的に点灯させることもでき、光による演出効果をより高めることができる。
【００４１】
なお、上記光のランニングは、パチンコ遊技機１０１が大当りした瞬間に開始されるが、光の点灯パターンは、上記パターンに限定されるものではなく、たとえば、大当りによる特別遊技を行なっている間、大当りしたパチンコ遊技機１０１に対応する遊技媒体収納箱１ａの発光手段２，２ａを点滅させることができる。また、大当りによる特別遊技の終了から、可変表示手段の変動図柄がｎ（たとえば、１００回）回変動するまで、発光手段２，２ａを点灯させることができる。さらに、可変表示手段の変動図柄がＮ（たとえば、１０００回）回を超えるハマリモードの場合に、発光手段２，２ａを点灯させることもできる。
このようにすると、様々な状況に応じて、より刺激的で、遊技者の倦怠感を回復させることの可能な、光の演出を行なうことができる。
【００４２】
以上、本発明の遊技媒体収納箱及び遊技媒体収納箱発光演出システムについて、好ましい実施形態を示して説明したが、本発明に係る遊技媒体収納箱及び遊技媒体収納箱発光演出システムは、上述した実施形態にのみ限定されるものではなく、本発明の範囲で種々の変更実施が可能であることは言うまでもない。
たとえば、遊技媒体収納箱１ｂは、積み重ねた際、下部が箱内に収納されない構造となっているが、遊技媒体収納箱１のように収納可能な形状とし、積み上げる場合だけ、たとえば、図示してないが、スライド式の係止バーを突出させる構造としてもよい。このようにすると、遊技媒体収納箱１ｂを使用しないとき省スペース化された状態で保管することができる。
【産業上の利用可能性】
【００４３】
本発明の遊技球計数器は、遊技機としてパチンコ遊技機に限定されるものではなく、遊技球を使用する遊技機であればよく、たとえば、スマートボール等の遊技機にも適用することが可能である。
【図面の簡単な説明】
【００４４】
【図１】本発明の第一実施形態にかかる遊技媒体収納箱を説明するための概略図であり、（ａ）は斜視図を、（ｂ）はＡ−Ａ断面図を示している。
【図２】本発明の第二実施形態にかかる遊技媒体収納箱を説明するための概略図であり、（ａ）は斜視図を、（ｂ）はＢ−Ｂ断面図を示している。
【図３】本発明の第三実施形態にかかる遊技媒体収納箱を説明するための概略断面図を示している。
【図４】本発明の実施形態にかかる遊技媒体収納箱発光演出システムを説明するための概略ブロック図を示している。
【符号の説明】
【００４５】
１，１ａ，１ｂ  遊技媒体収納箱
２，２ａ  発光手段
３，３ａ  起電力発生手段
４  位置決め手段
５  外部接続電極
６，６ａ  天板
７，７ａ  磁界発生手段
８  制御手段
９  遊技媒体収納箱発光演出システム
１０  箱本体
１１  鍔部
１２，１２ａ，１２ｂ  側板
１３  取手部
１４  底板
１５  脚部
１６  凹部
１７  凸部
２１，２１ａ  ＬＥＤ
２２，２２ａ  照明用光ファイバー
３１，３１ａ  溝
３２，３２ａ  鉄心
３３，３３ａ  二次コイル
３４  出力用外部接続電極
３５  入力用外部接続電極
６０  床面
６１  溝
７１，７１ａ  溝
７２，７２ａ  鉄心
７３，７３ａ  一次コイル
１００  遊技球
１０１  パチンコ遊技機
【図１】
2005279099.tif 000003
【図２】
2005279099.tif 000004
【図３】
2005279099.tif 000005
【図４】
2005279099.tif 000006